(57)【特許請求の範囲】
【請求項１】
搬送する複数の長尺物（Ｍ）を並列して載置する底面板（１０）と、
前記長尺物（Ｍ）の後端が当接する背面板（２０）と、
前記底面板（１０）の左右端部から上向きに起立して設けられる側面板（３０）と、
前記底面板（１０）の先端よりも前記背面板（２０）に近い側に、左右の前記側面板（３０、３０）に跨って設けられる押さえ部材（４０）と、
を備え、前記長尺物（Ｍ）を、前記底面板（１０）の先端部と前記押さえ部材（４０）によって上下から挟み込んで保持するようにしたフォークリフト用アタッチメント。
【請求項２】
前記押さえ部材（４０）の前記側面板（３０）への取り付け位置を、前記側面板（３０）の面内で変更自在とした請求項１に記載のフォークリフト用アタッチメント。
【請求項３】
前記底面板（１０）の先端部から突出自在に設けられた延長部材（１１）をさらに備えた請求項１又は２に記載のフォークリフト用アタッチメント。
【発明の詳細な説明】
【技術分野】
【０００１】
この発明は、フォークリフト用アタッチメントに関し、特に、木材等の複数の長尺物をコンテナ等の収納設備に収納する際に適したものに関する。
【背景技術】
【０００２】
木材等の長尺物をコンテナに積載する際には、例えば、特許文献１に示すフォークリフト用のアタッチメントが用いられる。このアタッチメントは、その先端部に長尺物を径方向に掴むトング（把持部材）を備え、このトングで長尺物の端部を掴んで、コンテナの奥に送り込む。この作業を繰り返すことによって、複数の長尺物をコンテナ内に複数段積み上げた状態で積載する。
【先行技術文献】
【特許文献】
【０００３】
【特許文献１】特開平６−８０３９９号公報
【発明の概要】
【発明が解決しようとする課題】
【０００４】
特許文献１に係るアタッチメントは、長尺物の一端側を掴むようになっており、前記トングで掴んだ箇所を支点として、その他端側が上下左右に振れやすい。コンテナ内への積載作業中にこの長尺物が上下左右に振れると、他端側がコンテナの内壁に接触して、この内壁に穴が開く等の損傷が生じたり、作業の安全性が低下したりする問題がある。しかも、長尺物をコンテナ内に一本ずつしか搬入できないので、作業効率が低く、作業コストが上昇する問題もある。
【０００５】
そこで、この発明は、木材等の長尺物を効率良くかつ安全にコンテナ内に搬入することを課題とする。
【課題を解決するための手段】
【０００６】
上記の課題を解決するため、この発明は、搬送する複数の長尺物を並列して載置する底面板と、前記長尺物の後端が当接する背面板と、前記底面板の左右端部から上向きに起立して設けられる側面板と、前記底面板の先端よりも前記背面板に近い側に、左右の前記側面板に跨って設けられる押さえ部材と、を備えたフォークリフト用アタッチメントを構成した。
【０００７】
このアタッチメントによって、長尺物は底面板の先端部において下側から、押さえ部材によって上側から、上下方向に挟み込まれるように支持される。しかも、押さえ部材が底面板の先端よりも背面板側に近い側に位置しており、底面板の先端部から突出した長尺物の下向きの自重によって、この長尺物が、押さえ部材に上向きに強く押し付けられる。このため、この長尺物が上下方向に安定的に把持され、その上下方向の振れが阻止される。しかも、底面板に複数並列して載置した長尺物が左右に振れようとしても、この長尺物が左右の側面板と当接して、左右方向の振れも阻止される。このため、この長尺物をコンテナ内に搬入する際に、このアタッチメントによって保持する側とは反対側の端部がコンテナの内壁に接触して、この内壁が損傷するのを防止することができるとともに、作業の安全性も確保することができる。しかも、複数の長尺物を一度にコンテナ内に搬入することができるため、作業効率も大幅に向上して、コストの削減を図ることもできる。
【０００８】
前記構成においては、前記押さえ部材の前記側面板への取り付け位置を、前記側面板の面内で変更自在とした構成とすることができる。このように、押さえ部材の取り付け位置を変更自在とすることにより、長尺物を積み重ねて載置する場合に、積み重ねの上段側において、押さえ部材を底面板から十分離間した位置に設けるとともに、アタッチメントを後傾させて、長尺物の水平を保ちつつ、天井高が限られるコンテナ内で、スムーズにその上段側に長尺物を搬入することができる。
【０００９】
前記各構成においては、前記底面板の先端部から突出自在に設けられた延長部材をさらに備えた構成とすることができる。このように延長部材を備えることにより、長尺物を一層安定的に支持することができ、この長尺物が、作業中に上下に振れるのを確実に抑制することができる。
【発明の効果】
【００１０】
この発明に係る構成においては、運搬する複数の長尺物を並列して載置する底面板と、前記長尺物の後端が当接する背面板と、前記底面板の左右端部から上向きに起立して設けられる側面板と、前記底面板の先端よりも前記背面板に近い側に、左右の前記側面板に跨って設けられる押さえ部材と、を備えたフォークリフト用アタッチメントを構成した。このように、アタッチメントを構成することにより、コンテナ内への搬入作業中に、長尺物が上下左右に振れるのを防止することができ、この長尺物を効率良くかつ安全にコンテナ内に搬入することができる。
【図面の簡単な説明】
【００１１】
【図１】本願発明に係るフォークリフト用アタッチメントの第一実施形態を示す一部を切り欠いた側面図
【図２】図１に示すアタッチメントを正面から見た一部縦断面図
【図３】図１に示すアタッチメントの斜視図
【図４】図１に示すアタッチメントの延長部材の駆動機構を示し、（ａ）は一部を切り欠いた側面図、（ｂ）は正面から見た一部縦断面図
【図５】図１に示すアタッチメントの押さえ部材を示す縦断面図
【図６】図１に示すアタッチメントをフォークリフトに取り付けた状態を示す側面図
【図７】図１に示すアタッチメントの作用を示す側面図であって、（ａ）は長尺物を最上段に積み上げた状態、（ｂ）はアタッチメントの引き抜きを開始した状態、（ｃ）はアタッチメントの引き抜きを完了した状態
【図８】コンテナへの長尺物の搬入工程を示す側面図であって、（ａ）は一山目、（ｂ）は二山目、（ｃ）は三山目、をそれぞれ形成した状態
【図９】本願発明に係るフォークリフト用アタッチメントの第二実施形態を示し、（ａ）は側面図、（ｂ）は（ａ）中のｂ−ｂ線に沿う断面図
【図１０】本願発明に係るフォークリフト用アタッチメントの第三実施形態を示し、（ａ）は側面図、（ｂ）は正面図
【発明を実施するための形態】
【００１２】
本願発明に係るフォークリフト用アタッチメントの第一実施形態を図１〜図３に示す。図１は一部を切り欠いた側面図、図２は正面から見た一部縦断面図、図３は斜視図である。このアタッチメント１は、底面板１０、背面板２０、側面板３０、及び押さえ部材４０を主要な構成要素としている。
【００１３】
底面板１０は、搬送する複数の木材等の長尺物Ｍを並列して載置できるようになっている。図４（ａ）（ｂ）に示すように、底面板１０の先端部には、この先端部から突出自在に延長部材１１が設けられている。この延長部材１１は、アタッチメント１の不使用時又は搬送する長尺物Ｍの長さが比較的短いときは、底面板１０の上面側に沿うように収納される一方で、長尺物Ｍの長さが比較的長いときは、底面板１０の先端部から突出させるようになっている。このように、延長部材１１を突出させることにより、長尺物Ｍを安定的に支持することができる。この延長部材１１の左右端部には、ラック１２ａとピニオン１２ｂを備えた駆動機構１２が設けられており、この駆動機構１２を作動させることにより延長部材１１を駆動する。
【００１４】
背面板２０は、長尺物Ｍの後端が当接する。この当接により、複数の長尺物Ｍの一端側が揃えられた状態となり、この複数の長尺物ＭをコンテナＣ内に整然と複数段積載することが可能となる（後述する図８参照）。
【００１５】
側面板３０（３０ａ、３０ｂ）は、底面板１０の左右端部から上向きに起立して設けられている。この側面板３０（３０ａ、３０ｂ）は、アタッチメント１内に並列して載置された複数の長尺物Ｍのうち、左右の端に位置する長尺物Ｍとそれぞれ当接する。この当接により、左右の端の長尺物Ｍ、及び、これらの間に並列して載置された全ての長尺物Ｍの左右への振れを防止することができる。このため、長尺物ＭがコンテナＣの内壁に当接して、この内壁を破損する問題を回避することができる。
【００１６】
左右の側面板３０ａ、３０ｂの互いに対向する面側には、複数の受け部材３１（３１ａ、３１ｂ）が設けられている。この受け部材３１（３１ａ、３１ｂ）には、押さえ部材４０の端部の形状に相当する凹部が形成されている。なお、この実施形態においては、側面板３０に、前後方向に２列、上下方向に４列の受け部材３１（３１ａ、３１ｂ）を設けた態様を示したが、この受け部材３１（３１ａ、３１ｂ）の配置はあくまでも例示であって、アタッチメント１の大きさ、側面板３０の形状、取り扱う長尺物Ｍの形状等を考慮して適宜変更することができる。
【００１７】
左右の側面板３０ａ、３０ｂの互いに対向する受け部材３１ａ、３１ｂには、両側面板３０ａ、３０ｂに跨るように押さえ部材４０が設けられる。図５に示すように、この押さえ部材４０は、受け管４１と、受け管４１に挿し込まれる挿し管４２と、両管４１、４２を互いに反対方向に付勢する付勢部材４３とを備えている。この付勢部材４３の付勢力に抗して受け管４１と挿し管４２を押し縮め、この押し縮めた状態で、押さえ部材４０の両端を両側面板３０ａ、３０ｂの凹部にそれぞれ嵌め込む。なお、この実施形態に示す伸縮式の押さえ部材４０はあくまでも例示であって、この押さえ部材４０を両側面板３０ａ、３０ｂに着脱し得る限りにおいて、その構成を適宜変更することができ、上記の伸縮式以外の方式を採用することもできる。
【００１８】
例えば、図３に示す構成においては、押さえ部材４０は、背面板２０に近い側の最下段の受け部材３１ａ、３１ｂに設けられている。この位置に押さえ部材４０を設けた場合、図３等に示した太さの長尺物を、底面板１０に面接触しつつ安定的にほぼ水平に保持することができる。コンテナＣの最下段に長尺物Ｍを搬入する際は、押さえ部材４０をこの位置にすることによって、スムーズにその搬入を行うことができる。
【００１９】
図６に示すように、このアタッチメント１はフォークリフトＦに取り付けられ、フォークリフトＦのフォークの上下に伴って上下する。図７（ａ）〜（ｃ）に本願発明に係るアタッチメント１を用いて、長尺物Ｍを複数段積載するときのこのアタッチメント１の作用について示す。
【００２０】
このように、既に積載した長尺物Ｍの上段部に、さらに長尺物Ｍを搬入する際は、例えば、押さえ部材４０を、背面板２０に近い側の下から２段目の受け部材３１（３１ａ、３１ｂ）に設ける。この位置に押さえ部材４０を設けた場合、アタッチメント１を後方に若干傾斜させた状態において、この長尺物Ｍは、底面板１０の先端部（実際には延長部材１１）と押さえ部材４０によって上下から挟み込まれて、ほぼ水平の状態で安定的に保持される。長尺物Ｍをこのように保持した状態で、既に積載した長尺物Ｍの上に水平に搬入する（本図（ａ）参照）。
【００２１】
長尺物Ｍを所定の位置まで搬入したら、アタッチメント１を後傾状態から水平状態に回動する。この回動に伴って、長尺物Ｍと、底面板１０の先端部（延長部材１１）及び押さえ部材４０との間の当接が解消された状態となる（本図（ｂ）参照）。この状態のまま、アタッチメント１を後退すると、既に積載した長尺物Ｍと新たに搬入した長尺物Ｍとの間の摩擦力によって、アタッチメント１からこの長尺物Ｍが引き抜かれる（本図（ｃ）参照）。なお、本図には図示していないが、搬入口側に突出した最上段の長尺物Ｍは、手作業又はフォークリフトＦに別途設けた他のアタッチメントによって、既に積載した長尺物Ｍの端部と揃うように水平に押し込まれる。図８（ａ）〜（ｃ）に示すように、コンテナＣが満杯となるまで、その奥側から順に長尺物Ｃを載置する。
【００２２】
本願発明に係るフォークリフト用アタッチメントの第二実施形態を図９に示す。このアタッチメント１は、基本的な構成は第一実施形態に係るアタッチメント１と同じであるが、押さえ部材４０の位置を変更するための機構が異なっている。
【００２３】
すなわち、側面板３０の外壁側に、上下方向及び前後方向に延びる対の案内レール３２ａ、３２ａ、３２ｂ、３２ｂが設けられ、各案内レール３２ａ、３２ａ、３２ｂ、３２ｂに、それぞれ上下方向又は前後方向に自在に案内される案内部材３３ａ、３３ａ、３３ｂ、３３ｂが挿通されている。上下方向又は左右方向に案内される案内部材３３ａ、３３ｂには、それぞれ、雄ねじが形成された回転軸３４ａ、３４ｂが、回転自在に設けられている。
【００２４】
上下方向に案内される案内部材３３ａ、３３ａのうち一方の案内部材３３ａ、左右方向に案内される案内部材３３ｂ、３３ｂのうち一方の案内部材３３ｂには、それぞれ、回転軸３４ａ、３４ｂを軸周りに回転させる駆動機構（図示せず）が設けられている。両回転軸３４ａ、３４ｂの交差部分には受け部材３１がねじ込まれている。両駆動機構を独立して駆動することにより、この受け部材３１を、回転軸３４ａ、３４ｂの軸方向の範囲内で上下左右に自在に移動させることができる。このように、受け部材３１の位置を連続的に自在に移動可能としたことにより、長尺物Ｍの搬入高さ（アタッチメント１の傾斜角度）、長尺物Ｍの直径等に対応して、押さえ部材４０の位置をスムーズに変更することができ、作業効率を大幅に向上することができる。
【００２５】
本願発明に係るフォークリフト用アタッチメントの第三実施形態を図１０に示す。このアタッチメント１も、基本的な構成は第一及び第二実施形態に係るアタッチメント１と同じであるが、押さえ部材４０の位置を変更するための機構が異なっている。
【００２６】
すなわち、このアタッチメント１の背面板２０には、支持部材２１を上下方向に移動かつ回動させる上下回動機構２２が設けられ、この上下回動機構２２には、上下方向に延びる案内溝２２ａが形成されている。この案内溝２２ａには、支持部材２１の端部に形成された回動軸２１ａが嵌め込まれ、この回動軸２１ａが案内溝２２ａ内を上下動することによって、支持部材２１を上下方向に移動かつ回動軸２１ａ周りに回動するようになっている。
【００２７】
支持部材２１には、側面視Ｌ字形の揺動部材２３が設けられている。この揺動部材２３の先端部には、押さえ部材４０が設けられている。このように構成する代わりに、フォークの角度を変更する回動機構を備えたフォークリフトのフォークを支持部材２１の代わりとし、このフォークに、揺動部材２３を直接固定した構成とすることもできる。このように、支持部材２１を、上下方向に移動しつつ回動軸２１ａ周りに回動させることによって、長尺物Ｍの搬入高さ（アタッチメント１の傾斜角度）、長尺物Ｍの直径等に対応して、押さえ部材４０の位置をスムーズに変更することができ、作業効率を大幅に向上することができる。
【００２８】
上記の各実施形態はあくまでも一例であって、木材等の長尺物Ｍを効率良くかつ安全にコンテナ内に搬入する、という本願発明の課題を解決し得る限りにおいて、アタッチメント１を構成する各部材の形状や配置等を適宜変更することができる。例えば、取り扱う長尺物Ｍの長さが比較的短い場合は、延長部材１１を設けない構成とすることもできる。
【符号の説明】
【００２９】
１  アタッチメント
１０  底面板
１１  延長部材
１２  駆動機構
１２ａ  ラック
１２ｂ  ピニオン
２０  背面板
２１  支持部材
２１ａ  回動軸
２２  上下回動機構
２２ａ  案内溝
２３  揺動部材
３０  （３０ａ、３０ｂ）  側面板
３１（３１ａ、３１ｂ）  受け部材
３２ａ、３２ｂ  案内レール
３３ａ、３３ｂ  案内部材
３４ａ、３４ｂ  回転軸
４０  押さえ部材
４１  受け管
４２  挿し管
４３  付勢部材
Ｍ  長尺物
Ｃ  コンテナ
Ｆ  フォークリフト
【図１】
0006424138.tif 000002
【図２】
0006424138.tif 000003
【図３】
0006424138.tif 000004
【図４】
0006424138.tif 000005
【図５】
0006424138.tif 000006
【図６】
0006424138.tif 000007
【図７】
0006424138.tif 000008
【図８】
0006424138.tif 000009
【図９】
0006424138.tif 000010
【図１０】
0006424138.tif 000011